(57)【要約】      （修正有）【課題】顎紐取付け金具の強度を向上させつつ軽量化が可能なヘルメットを提供する。【解決手段】帽体に顎紐を取り付ける顎紐取付け金具２０を備えるヘルメットであって、顎紐取付け金具は、底辺部分２１と、第１辺部分２２と、第２辺部分２３と、押さえ部２４とを備え、第１辺部分、第２辺部分、及び、押さえ部は、帽体に顎紐取付け金具を固定するための固定孔２５を画定し、底辺部分、第１辺部分、第２辺部分、及び、押さえ部は、顎紐が挿通される挿通孔２６を画定し、第１辺部分及び第２辺部分は、底辺部分の両端から頂点２０Ｐに向かって一定の幅で直線状に延び、底辺部分の外側縁２１Ｏは、頂点の反対側に突き出る突出形状を有し、底辺部分に対して垂直に延びる仮想二等分線Ｌ上に、固定孔の中心２５Ｃ、押さえ部の頂点部分２４Ｐ、及び、突出形状の頂点部分２１Ｐが位置する。【選択図】図２
0003233704.tif 000002
【実用新案登録請求の範囲】
【請求項１】
帽体に顎紐を取り付ける顎紐取付け金具を備えるヘルメットであって、
前記顎紐取付け金具は、三角形の辺上に位置する底辺部分、第１辺部分、及び、第２辺部分を備え、前記三角形のなかで前記第１辺部分と前記第２辺部分とを繋ぎ、かつ、前記底辺部分に向けて突出する押さえ部をさらに備え、
前記第１辺部分、前記第２辺部分、及び、前記押さえ部は、前記帽体に前記顎紐取付け金具を固定するための固定部材が通る固定孔を、前記三角形の内側に画定し、
前記第１辺部分、前記第２辺部分、前記底辺部分、及び、前記押さえ部は、前記顎紐が挿通される挿通孔を、前記三角形の内側に画定し、
前記第１辺部分及び前記第２辺部分は、一定の幅を有し、かつ、前記底辺部分の両端から前記第１辺部分と前記第２辺部分との交点である前記三角形の頂点に向かって直線状に延び、
前記底辺部分の外側縁は、前記三角形の外側に突き出る突出形状を有し、
前記底辺部分に対して垂直に延びる仮想二等分線上に、前記固定孔の中心、前記押さえ部の頂点部分、及び、前記突出形状の頂点部分が位置する
ヘルメット。
【請求項２】
前記第１辺部分及び前記第２辺部分は、等辺である
請求項１に記載のヘルメット。
【請求項３】
前記押さえ部の頂点部分は、円弧形状を有する
請求項１または２に記載のヘルメット。
【請求項４】
前記顎紐取付け金具は、平坦な板状部材である
請求項１ないし３のうち何れか一項に記載のヘルメット。
【請求項５】
前記顎紐取付け金具は、前記仮想二等分線を対称軸とした線対称形状を有する
請求項１ないし４のうち何れか一項に記載のヘルメット。
【考案の詳細な説明】
【技術分野】
【０００１】
本考案は、ヘルメットに関する。
【背景技術】
【０００２】
二輪車用ヘルメットにおいて、帽体の内側には、一対の顎紐が取り付けられる。例えば、特許文献１に記載された顎紐の一端には、顎紐取付け金具が取り付けられている。顎紐は、固定手段によって顎紐取付け金具と帽体とが固定されることで、帽体に取り付けられる。
【先行技術文献】
【特許文献】
【０００３】
【特許文献１】特開２００４−１３７６３５号公報
【考案の概要】
【考案が解決しようとする課題】
【０００４】
ところで、ヘルメットは、さらなる軽量化が望まれている。そのため、ヘルメットを構成する部品の１つである顎紐取付け金具もまた、その軽量化が望まれている。一方、顎紐取付け金具は、顎紐を保持する部材であるから、更なる強度の向上が望まれている。
【課題を解決するための手段】
【０００５】
上記課題を解決するためのヘルメットは、帽体に顎紐を取り付ける顎紐取付け金具を備えるヘルメットであって、前記顎紐取付け金具は、三角形の辺上に位置する底辺部分、第１辺部分、及び、第２辺部分を備え、前記三角形のなかで前記第１辺部分と前記第２辺部分とを繋ぎ、かつ、前記底辺部分に向けて突出する押さえ部をさらに備え、前記第１辺部分、前記第２辺部分、及び、前記押さえ部は、前記帽体に前記顎紐取付け金具を固定するための固定部材が通る固定孔を、前記三角形の内側に画定し、前記第１辺部分、前記第２辺部分、前記底辺部分、及び、前記押さえ部は、前記顎紐が挿通される挿通孔を、前記三角形の内側に画定し、前記第１辺部分及び前記第２辺部分は、一定の幅を有し、かつ、前記底辺部分の両端から前記第１辺部分と前記第２辺部分との交点である前記三角形の頂点に向かって直線状に延び、前記底辺部分の外側縁は、前記三角形の外側に突き出る突出形状を有し、前記底辺部分に対して垂直に延びる仮想二等分線上に、前記固定孔の中心、前記押さえ部の頂点部分、及び、前記突出形状の頂点部分が位置する。
【０００６】
顎紐取付け金具が顎紐によって下方に引っ張られるとき、底辺部分の中央は、底辺部分の端よりも変形しやすい。突出形状の頂点部分が底辺部分に対して垂直に延びる仮想二等分線上に位置することで、底辺部分において変形しやすい中央の断面積が大きくなる。結果として、顎紐取付け金具の変形抵抗を高めることができる。また、第１辺部分及び第２辺部分が直線状に延びることで、顎紐取付け金具が顎紐によって引っ張られた際に、第１辺部分及び第２辺部分において、各々の延在方向と交差する方向に張力が作用することを抑えることができる。したがって、第１辺部分及び第２辺部分の幅を、各辺部分に作用する軸力に対して必要な断面積を有するように一定の幅で設計することで、各辺部分の幅が部分的に異なる構成よりも、各辺部分の体積を小さくできる。そして、第１辺部分及び第２辺部分が、直線状、すなわち底辺部分の両端と三角形の頂点とを最短距離で繋ぐように延びることで、各辺部分が曲線部分を有する構成よりも、各辺部分の体積を小さくできる。結果として、顎紐取付け金具を小型化及び軽量化できる。
【０００７】
上記ヘルメットにおいて、前記第１辺部分及び前記第２辺部分は、等辺であることが好ましい。上記構成によれば、第１辺部分及び第２辺部分が等辺であることで、顎紐によって顎紐取付け金具が引っ張られた際に、第１辺部分及び第２辺部分に加わる荷重を均等に分散できる。したがって、第１辺部分及び第２辺部分における必要な強度を確保しつつ、断面積をより小さくすることができる。結果として、顎紐取付け金具を軽量化できる。
【０００８】
上記ヘルメットにおいて、前記押さえ部の頂点部分は、円弧形状を有することが好ましい。上記構成によれば、押さえ部の頂点部分が円弧形状を有することで、挿通孔に挿通された顎紐と押さえ部との接触に起因した顎紐の劣化が抑えられる。
【０００９】
上記ヘルメットにおいて、前記顎紐取付け金具は、平坦な板状部材であることが好ましい。仮に、顎紐取付け金具が帽体の内周面に沿って板厚方向に湾曲した曲面形状を有する場合では、底辺部分の両端の位置と、底辺部分の中央の位置とが板厚方向にずれた状態となる。この場合、底辺部分に顎紐の張力が作用した際に、底辺部分の中央の位置が支点となる底辺部分の両端を繋ぐ仮想直線からずれる分だけ、当該仮想直線を軸とした回転モーメントが生じる。この点、顎紐取付け金具が平坦な板状部材であることで、底辺部分に顎紐の張力が作用した際に、底辺部分に回転モーメントが生じることを抑えることができる。結果として、底辺部分の変形抵抗を高めることができる。
【００１０】
上記ヘルメットにおいて、前記顎紐取付け金具は、前記仮想二等分線を対称軸とした線対称形状を有することが好ましい。上記構成によれば、顎紐取付け金具が底辺部分に対して垂直に延びる仮想二等分線を対称軸とした線対称形状を有することで、顎紐によって顎紐取付け金具が引っ張られた際に、顎紐取付け金具の各部に加わる荷重を、仮想二等分線を境として均一に分散することができる。したがって、顎紐取付け金具の各部において、必要な強度を確保しつつ、断面積をより小さくすることができる。結果として、顎紐取付け金具を軽量化できる。
【考案の効果】
【００１１】
本考案によれば、顎紐取付け金具の強度を向上させつつ軽量化できる。
【図面の簡単な説明】
【００１２】
【図１】ヘルメットの側面図である。
【図２】顎紐取付け金具の正面図である。
【図３】押さえ部の変形例を示す顎紐取付け金具の正面図である。
【考案を実施するための形態】
【００１３】
［ヘルメット］
以下、ヘルメットの一実施形態について図１，図２を参照して説明する。なお、図１では、ヘルメット装着者から見た方向である、前、後、左、右、上、下を、ヘルメットに対する前、後、左、右、上、下として示す。
【００１４】
図１に示すように、ヘルメット１は、自動二輪車用のフルフェイス型のヘルメットである。ヘルメット１は、帽体２と、左右で一対の顎紐ユニット１０とを備える。帽体２は、ヘルメット１の外殻を構成する。帽体２は、半球状を有した樹脂部材である。帽体２の内部には、例えば、発泡樹脂（例えば、発泡スチロール）製の衝撃吸収部材、及び、ウレタンフォーム製の内装パッド等が設けられる。
【００１５】
帽体２は、第１開口２Ａと、第２開口２Ｂとを備える。第１開口２Ａは、帽体２における前方の領域に構成される。第１開口２Ａは、装着者の視界を確保する。第１開口２Ａには、光透過性を有したシールド３が設けられる。第２開口２Ｂは、帽体２における下方の領域に構成される。第２開口２Ｂは、装着者の頭部を挿入するための開口である。
【００１６】
各顎紐ユニット１０は、顎紐１１と、結合部材１２と、紐長調整部１３と、顎紐取付け金具２０と、を備える。各顎紐取付け金具２０は、帽体２における左右の内周面に設けられた平坦面である取付座面５に対して、固定部材４によって固定される。また、顎紐取付け金具２０には、顎紐１１が取り付けられる。取付座面５は、顎紐取付け金具２０が固定された状態で、顎紐１１と干渉しない程度の大きさを有する。また、帽体２において、取付座面５が設けられた位置には、帽体２を貫通する取付孔（非図示）が設けられる。なお、図１では、取付座面５が円形状の場合を図示しているが、取付座面５の形状はこれに限定されない。
【００１７】
顎紐１１は、例えば、ポリエステル製の化学繊維が平織または袋織された紐状の部材である。顎紐１１は、顎紐取付け金具２０に取り付けられる第１端部と、第２開口２Ｂから導出される第２端部とを備える。
【００１８】
結合部材１２は、顎紐１１における第２端部に設けられる部材である。結合部材１２は、一例として、ワンタッチ式のラチェットバックルである。具体的に、一対の顎紐ユニット１０の一方において、顎紐１１の第２端部には、結合部材１２の一例であるラチェットが設けられる。一対の顎紐ユニット１０の他方において、顎紐１１の第２端部には、結合部材１２の一例であるバックルが設けられる。ラチェットがバックルに挿入されることで、ラチェットとバックルとが結合され、これによって、左右で一対の顎紐ユニット１０が接続される。
【００１９】
紐長調整部１３は、顎紐１１の長さを調整する機能を有する。紐長調整部１３は、一例として、環状の金具であるコキ鐶である。紐長調整部１３は、顎紐１１の延在方向に並ぶ２つの孔を有する。顎紐１１は、紐長調整部１３に設けられた２つの孔に挿通される。なお、紐長調整部１３は、左右で一対の顎紐ユニット１０のうち、一方の顎紐ユニット１０のみに設けられてもよく、両方の顎紐ユニット１０に設けられてもよい。
【００２０】
［顎紐取付け金具］
図２に示すように、顎紐取付け金具２０は、顎紐取付け金具２０の全体にわたり均一な厚さを有する平坦な金属製の板状部材である。顎紐取付け金具２０は、底辺部分２１と、第１辺部分２２と、第２辺部分２３と、押さえ部２４とを備える。
【００２１】
顎紐取付け金具２０の外形は、ひし形状である。底辺部分２１の内側縁２１Ｉ、第１辺部分２２の内側縁、及び第２辺部分２３の内側縁は、それぞれ二等辺三角形の各辺上に別々に位置する。底辺部分２１の内側縁２１Ｉは、二等辺三角形の底辺上に位置する。第１辺部分２２及び第２辺部分２３の内側縁は、それぞれ二等辺三角形の各等辺上に別々に位置する。
【００２２】
底辺部分２１の内側縁２１Ｉは、二等辺三角形の底辺に沿う直線形状を有する。底辺部分２１の外側縁２１Ｏは、二等辺三角形の底辺から、第１辺部分２２と第２辺部分２３との交点である頂点２０Ｐとは反対側に向けて突き出る突出形状を有する。
【００２３】
外側縁２１Ｏにおける突出形状の頂点部分２１Ｐは、底辺部分２１の内側縁２１Ｉに対して垂直に延びる仮想二等分線Ｌ上に位置する。顎紐取付け金具２０の形状は、仮想二等分線Ｌを対称軸とした線対称である。仮想二等分線Ｌ上には、頂点２０Ｐが位置する。第１辺部分２２及び第２辺部分２３は、一定の幅Ｗを有しており、底辺部分２１の両端から頂点２０Ｐに向かって直線状に延びる。
【００２４】
押さえ部２４は、底辺部分２１と、第１辺部分２２と、第２辺部分２３とが位置する二等辺三角形の内部に位置する。押さえ部２４は、当該二等辺三角形のなかで第１辺部分２２の延在方向における中間と、第２辺部分２３の延在方向における中間とを繋ぐ。押さえ部２４は、第１辺部分２２の中間から底辺部分２１の内側縁２１Ｉに向けて突出し、かつ第２辺部分２３の中間から底辺部分２１の内側縁２１Ｉに向けて突出する。
【００２５】
押さえ部２４は、第１延出部分と第２延出部分とに区分される。第１延出部分は、第１辺部分２２の内側縁から第１辺部分２２の内側縁に対して垂直に、底辺部分２１に向かって延びる。また、第２延出部分は、第２辺部分２３の内側縁から第２辺部分２３の内側縁に対して垂直に、底辺部分２１に向かって延びる。第１延出部分は、第１辺部分２２と第２辺部分２３とを押さえ部２４が繋ぐように、第２延出部分に連続する。
【００２６】
第１延出部分と第２延出部分との交点である頂点部分２４Ｐは仮想二等分線Ｌ上に位置する。また、押さえ部２４は、押さえ部２４と底辺部分２１との距離が頂点部分２４Ｐで最も短くなるように、底辺部分２１と対向し、かつ、底辺部分２１の方向に半円弧状に膨らんだ内側縁を有する。具体的に、頂点部分２４Ｐの内側縁は、第１延出部分及び第２延出部分の幅よりもその幅が大きくなるように、底辺部分２１の方向に向かって突き出た円弧形状を有する。例えば、第１延出部分及び第２延出部分は、幅Ｗの半分よりも小さい幅を有する。また、頂点部分２４Ｐは、仮想二等分線Ｌ上において、幅Ｗの半分よりも大きく、かつ、幅Ｗよりも小さい幅を有する。
【００２７】
また、顎紐取付け金具２０は、固定孔２５と、挿通孔２６とを備える。固定孔２５は、第１辺部分２２と、第２辺部分２３と、押さえ部２４とによって囲まれる領域に画定される。固定孔２５は、一例として、真円の円孔である。固定孔２５の中心２５Ｃは、仮想二等分線Ｌ上に位置する。固定孔２５には、顎紐取付け金具２０を帽体２に固定するための固定部材４が取り付けられる。固定部材４は、一例として、ビス、あるいはリベットである。顎紐取付け金具２０は、固定部材４のカシメによって帽体２に固定される。
【００２８】
挿通孔２６は、底辺部分２１と、第１辺部分２２と、第２辺部分２３と、押さえ部２４とによって囲まれる領域に画定される。挿通孔２６は、底辺部分２１の内側縁２１Ｉに沿う直線部２６Ａと、直線部２６Ａの上方に位置する２つの肉抜きである山型部２６Ｂとによって画定される。
【００２９】
２つの山型部２６Ｂの一方は、第１辺部分２２の内側縁と押さえ部２４の内側縁の一部とから構成される。一方の山型部２６Ｂの頂点は、底辺部分２１と、第１辺部分２２と、第２辺部分２３とがなす二等辺三角形の辺上に位置する。２つの山型部２６Ｂの他方は、第２辺部分２３の内側縁と押さえ部２４の内側縁の他部とから構成される。他方の山型部２６Ｂの頂点は、底辺部分２１と、第１辺部分２２と、第２辺部分２３とがなす二等辺三角形の辺上に位置する。挿通孔２６に山型部２６Ｂを構成することで、顎紐取付け金具２０の体積を減らすことができるため、顎紐取付け金具２０を軽量化できる。
【００３０】
挿通孔２６には、顎紐１１の第１端部が挿通される。顎紐１１は、例えば、第１端部が挿通孔２６に挿通された状態で、底辺部分２１を包むように第１端部を環状に形成することで顎紐取付け金具２０に取り付けられる。挿通孔２６に挿通された顎紐１１は、押さえ部２４の頂点部分２４Ｐによって捩じれ等が抑制される。また、押さえ部２４の頂点部分２４Ｐが挿通孔２６に挿通された顎紐１１の位置を規制して、カシメ位置である固定孔２５から顎紐１１を遠ざけることで、固定部材４をカシメる際に顎紐１１が巻き込まれることを防ぐことができる。
【００３１】
［実施形態の作用］
顎紐ユニット１０の取付け手順は、まず、顎紐取付け金具２０に顎紐１１の第１端部を取り付ける。そして、帽体２を貫通する取付孔と顎紐取付け金具２０の固定孔２５とに固定部材４の軸部を挿通した状態で固定部材４をカシメることで、顎紐取付け金具２０を帽体２に固定する。顎紐取付け金具２０は、頂点２０Ｐが底辺部分２１よりも帽体２の頭頂部に近くなるように配置される。これにより、顎紐ユニット１０が帽体２に取り付けられる。顎紐取付け金具２０が帽体２に固定された後、帽体２には、衝撃吸収部材や内装パッドが収容される。
【００３２】
ヘルメット１を装着する際には、まず、装着者が自身の頭部を第２開口２Ｂから帽体２の内部に挿入する。次いで、装着者の顎部の下方において、一対の顎紐ユニット１０の各々に設けられた結合部材１２同士を結合することで、一対の顎紐ユニット１０が接続される。これによって、ヘルメット１の装着が完了する。
【００３３】
一対の顎紐ユニット１０は、ヘルメット１が装着者の頭部から脱げないように、帽体２を装着者の頭部に対して固定する。例えば、帽体２に対して装着者の頭部から脱げる方向（例えば、上方）の荷重が作用した場合、顎紐取付け金具２０が挿通孔２６に挿通された顎紐１１によって下方に引っ張られる。
【００３４】
顎紐１１によって顎紐取付け金具２０が引っ張られると、顎紐１１の張力が顎紐取付け金具２０に伝わり、それによって底辺部分２１に荷重が加わる。このとき、底辺部分２１の両端が、第１辺部分２２及び第２辺部分２３を介して帽体２に支持されているため、底辺部分２１の両端を支点として底辺部分２１の中央が変形するように、顎紐１１の張力は作用する。
【００３５】
一方、底辺部分２１における突出形状の頂点部分２１Ｐが仮想二等分線Ｌ上に位置するように、底辺部分２１の中央における幅が底辺部分２１の両端よりも大きい。すなわち、底辺部分２１において最も変形しやすい中央の断面積が底辺部分２１の端における断面積よりも大きい。結果として、顎紐取付け金具２０の大型化が進む程度を小さくしながらも、顎紐取付け金具２０における変形抵抗を高めることができる。
【００３６】
また、第１辺部分２２の一端は、底辺部分２１の一端に加わる張力とつり合う反力を固定部材４から受ける。第２辺部分２３の一端は、底辺部分２１の他端に加わる張力とつり合う反力を固定部材４から受ける。このとき、第１辺部分２２及び第２辺部分２３が直線状に延びるため、第１辺部分２２及び第２辺部分２３の内力として、第１辺部分２２及び第２辺部分２３の各々を延在方向に引っ張る軸力が作用する。換言すると、第１辺部分２２及び第２辺部分２３の延在方向と交差する方向、すなわち第１辺部分２２及び第２辺部分２３の各々をせん断する方向に張力が作用することを抑えることができる。
【００３７】
したがって、第１辺部分２２及び第２辺部分２３の幅Ｗを、各辺部分に作用する軸力に対して必要な断面積を有するように一定の幅で設計することで、各辺部分の幅Ｗが部分的に異なる構成よりも、各辺部分の体積を小さくできる。そして、第１辺部分２２及び第２辺部分２３が直線状に、すなわち底辺部分２１の両端と頂点２０Ｐとを最短距離で繋ぐように延びることで、各辺部分が曲線部分を有する構成よりも、各辺部分の体積を小さくできる。結果として、顎紐取付け金具２０を小型化及び軽量化できる。
【００３８】
加えて、第１辺部分２２と第２辺部分２３とが固定部材４を頂点とした二等辺三角形の等辺上に位置するため、底辺部分２１に加わる張力を第１辺部分２２及び第２辺部分２３に均等に分散できる。
【００３９】
そして、顎紐取付け金具２０が仮想二等分線Ｌを対称軸とした線対称形状を有することで、顎紐取付け金具２０が顎紐１１によって引っ張られた際に、顎紐取付け金具２０の各部に加わる荷重を、仮想二等分線Ｌを境として均一に分散することができる。
【００４０】
さらに、押さえ部２４が半円弧状の内側縁を有するため、顎紐１１と押さえ部２４との接触に起因した顎紐１１の劣化が抑えられる。また、押さえ部２４の幅が頂点部分２４Ｐで最も大きくなるように、押さえ部２４が半円弧状の内側縁を有する。このため、底辺部分２１の一端に顎紐１１の位置が偏るように、顎紐１１が捩れること、すなわち顎紐１１の張力が底辺部分２１の一端に偏って作用することが抑えられる。
【００４１】
また、仮に、顎紐取付け金具２０が帽体２の内周面に沿って板厚方向に湾曲した曲面形状を有する場合では、底辺部分２１の両端の位置と、底辺部分２１の中央の位置とが板厚方向にずれた状態となる。このため、底辺部分２１に顎紐１１の張力が作用した際に、底辺部分２１の中央の位置が、支点となる底辺部分２１の両端を繋ぐ仮想直線からずれる分だけ、当該仮想直線を軸とした回転モーメントが生じる。この点、本実施形態では、顎紐取付け金具２０が平坦な板状部材であることで、底辺部分２１に顎紐１１の張力が作用した際に、底辺部分２１に回転モーメントが生じることを抑えることができる。結果として、底辺部分２１の変形抵抗を高めることができる。
【００４２】
［実施形態の効果］
上記実施形態によれば、以下に列挙する効果を得ることができる。
（１）突出形状の頂点部分２１Ｐが仮想二等分線Ｌ上に位置することで、顎紐１１によって顎紐取付け金具２０が引っ張られた際の荷重に対する底辺部分２１の変形抵抗を高めることができる。
【００４３】
（２）第１辺部分２２及び第２辺部分２３が直線状に延びることで、顎紐１１によって顎紐取付け金具２０が引っ張られた際に、第１辺部分２２及び第２辺部分２３において、各々の延在方向と交差する方向に張力が作用することを抑えることができる。したがって、第１辺部分２２及び第２辺部分２３の幅Ｗを、各辺部分に作用する軸力に対して必要な断面積を有するように一定の幅で設計することで、各辺部分の幅Ｗが部分的に異なる構成よりも、各辺部分の体積を小さくできる。そして、第１辺部分２２及び第２辺部分２３が直線状に、すなわち底辺部分２１の両端と頂点２０Ｐとを最短距離で繋ぐように延びることで、各辺部分が曲線部分を有する構成よりも、各辺部分の体積を小さくできる。結果として、顎紐取付け金具２０を小型化及び軽量化できる。
【００４４】
（３）押さえ部２４を設けることで、挿通孔２６に挿通された顎紐１１は、押さえ部２４の頂点部分２４Ｐによって、その位置が規制される。これにより、顎紐１１をカシメ位置である固定孔２５から遠ざけることができる。結果として、固定部材４をカシメる際に顎紐１１が巻き込まれることを防ぐことができる。また、押さえ部２４によって挿通孔２６に挿通された顎紐１１の捩じれ等を規制できる。
【００４５】
（４）第１辺部分２２と第２辺部分２３とが等辺であることで、第１辺部分２２及び第２辺部分２３に加わる荷重を均等に分散できる。したがって、第１辺部分２２及び第２辺部分２３における必要な強度を確保しつつ、第１辺部分２２及び第２辺部分２３の断面積をより小さくすることができる。結果として、顎紐取付け金具２０を軽量化できる。
【００４６】
（５）押さえ部２４の頂点部分２４Ｐにおいて、底辺部分２１と対向する内側縁が半円弧状を有することで、顎紐１１と押さえ部２４との接触に起因した顎紐１１の劣化が抑えられる。
【００４７】
（６）顎紐取付け金具２０が平坦な板状部材であることで、底辺部分２１に顎紐１１の張力が作用した際に、底辺部分２１に回転モーメントが生じることを抑えることができる。したがって、顎紐取付け金具２０が帽体２の内周面に沿って板厚方向に湾曲した曲面形状を有する場合と比較して、底辺部分２１の変形抵抗を高めることができる。また、顎紐取付け金具２０が帽体２の内周面に沿って板厚方向に湾曲した曲面形状を有する場合と比較して、曲げ加工の工程も不要となる。そして、顎紐１１を取り付ける際に、顎紐取付け金具２０を表裏の区別なく扱うことができるため、製造工程の簡略化ともなる。
【００４８】
（７）顎紐取付け金具２０が仮想二等分線Ｌを対称軸とした線対称形状を有することで、顎紐１１によって顎紐取付け金具２０が引っ張られた際に、顎紐取付け金具２０の各部に加わる荷重を、仮想二等分線Ｌを境として均一に分散することができる。したがって、顎紐取付け金具２０の各部において、必要な強度を確保しつつ、断面積をより小さくすることができる。結果として、顎紐取付け金具２０を軽量化できる。
【００４９】
なお、上記実施形態は、以下のように変更して実施することができる。
・顎紐取付け金具２０が仮想二等分線Ｌを対称軸とした線対称形状を有する構成を例示した。しかし、これに限定されず、例えば、押さえ部２４が備える第１延出部分と第２延出部分とが、仮想二等分線Ｌを境として異なる形状であってもよい。また、例えば、底辺部分２１が仮想二等分線Ｌを境として異なる形状であってもよい。
【００５０】
・顎紐取付け金具２０は、帽体２の内周面に追従する曲面形状を有した金属製の板状部材であってもよい。この場合、帽体２の内周面に平坦な面である取付座面５を設けずとも、帽体２と顎紐取付け金具２０との隙間を減らすことができる。
【００５１】
・押さえ部２４の頂点部分２４Ｐにおいて、底辺部分２１と対向する内側縁が円弧形状を有する構成を例示した。しかし、これに限定されず、例えば、押さえ部２４の内側縁のうち底辺部分２１に最も近い部分が、底辺部分２１の内側縁２１Ｉと平行な面を有していてもよい。この場合、挿通孔２６に挿通された顎紐１１の可動域がより小さくなるため、より好適に顎紐１１の捩じれ等を規制できる。
【００５２】
・第１辺部分２２及び第２辺部分２３が等辺である構成を例示したが、これに限定されず、例えば、第１辺部分２２が第２辺部分２３よりも長くてもよく、第２辺部分２３が第１辺部分２２よりも長くてもよい。
【００５３】
・押さえ部２４は、底辺部分２１と、第１辺部分２２と、第２辺部分２３とが位置する二等辺三角形の内部に位置するとともに、第１辺部分２２と第２辺部分２３とを繋ぎ、かつ、底辺部分２１に向けて突出する構成であれば、その形状は限定されない。
【００５４】
図３に示すように、例えば、押さえ部２４は、第１延出部分と第２延出部分と円弧状部分とに区分される。第１延出部分は、第１辺部分２２の内側縁から第１辺部分２２の内側縁に対して垂直に、底辺部分２１に向かって延びる。また、第２延出部分は、第２辺部分２３の内側縁から第２辺部分２３の内側縁に対して垂直に、底辺部分２１に向かって延びる。円弧状部分は、第１延出部分と第２延出部分とを円弧状に繋ぐ。また、押さえ部２４を構成する第１延出部分、第２延出部分、及び、円弧状部分は、一定の幅を有する。例えば、第１延出部分、第２延出部分、及び、円弧状部分は、第１辺部分２２及び第２辺部分２３の幅Ｗの半分よりも大きく、かつ、幅Ｗよりも小さい幅を有する。このような構成であっても、押さえ部２４が二等辺三角形の内部で第１辺部分２２と第２辺部分２３とを繋ぎ、かつ、底辺部分２１に向けて突出する構成であるから、上記（３）の効果を得ることができる。
【００５５】
・ヘルメット１がフルフェイス型ヘルメットである構成を例示した。しかし、これに限定されず、例えば、顎部が上昇可能なフリップアップ型ヘルメット、オープンフェイス型ヘルメット、着脱式の顎部を持つヘルメット、または、顎部を転回させて後頭部に固定可能なコンバーチブル型ヘルメットであってもよい。
【００５６】
・ヘルメット１が自動二輪車用のヘルメットである構成を例示したが、これに限定されず、例えば、自転車用、工事用、スポーツ用、防災用等、各種用途のヘルメットであってもよい。
【符号の説明】
【００５７】
Ｌ…仮想二等分線
Ｗ…幅
１…ヘルメット
２…帽体
４…固定部材
１０…顎紐ユニット
１１…顎紐
１２…結合部材
１３…紐長調整部
２０…顎紐取付け金具
２０Ｐ…頂点
２１Ｐ，２４Ｐ…頂点部分
２１…底辺部分
２１Ｉ…内側縁
２１Ｏ…外側縁
２２…第１辺部分
２３…第２辺部分
２４…押さえ部
２５…固定孔
２５Ｃ…中心
２６…挿通孔
【図１】
0003233704.tif 000003
【図２】
0003233704.tif 000004
【図３】
0003233704.tif 000005